(57)【要約】      （修正有）【課題】回転ボールの回転が柔軟でノイズが小さいボール式美容ローラーを提供する。【解決手段】回転ボール１０、ハンドル２０、頸部構造３０、及び接続モジュール４０を含み、接続モジュール４０は、取付軸４１、カバー４３、円環状ストッパーリング４４、軸受座４５、及び係止ストッパーシート４６を含む。取付軸４１は、取付部と、外延部４１ｂと階段部４１ｃとを含み、階段部４１ｃの後端の端部が頸部構造３０に当接し、外延部４１ｂの先端に係止溝４１１が設けられる。軸受座４５が外延部４１ｂに套設され、且つ階段部４１ｃの先端の端部に当接し、軸受座４５は凸台部４５１と弾性フック４５２とを有し、係止ストッパーシート４６が係止溝４１１に係止され、かつ、軸受座４５の先端の端部に当接する。回転ボール１０は軸受座４５に套設され、且つ凸台部４５１と弾性フック４５２との間に嵌合され、回転ボール１０は外延部４１ｂの周りに回転する。【選択図】図２
0003212874.tif 000002
【実用新案登録請求の範囲】
【請求項１】
回転ボール、ハンドル、前記ハンドルの頭部から外側に延在する頸部構造、及び前記回転ボールを前記頸部構造に回転自在に接続する接続モジュールを含むボール式美容ローラーであって、
前記接続モジュールは、
前記頸部構造内に穿設される取付部と、前記頸部構造の外に位置する外延部と、及び前記取付部と外延部との間に位置する階段部とを含む取付軸であって、前記階段部の外径は、前記外延部及び取付部の外径より大きくなり、前記階段部の後端の端部が前記頸部構造に当接し、前記外延部の先端に係止溝が設けられ、前記取付部と前記頸部構造との接合箇所にシールリングが設けられる取付軸と、
先端が前記階段部に套設され、後端が前記頸部構造に係合して套設されるカバーと、
円環状ストッパーリングであって、前記円環状ストッパーリングが前記階段部に套設され、かつ熱溶着により該階段部と一体になり、前記円環状ストッパーリングの後端の端部が前記カバーの前端の端部に当接する円環状ストッパーリングと、
軸受座であって、前記軸受座が前記外延部に套設され、前記軸受座の後端の端部が前記階段部の先端の端部に当接し、かつ、前記軸受座の後端の端部が外側に延伸して凸台部を形成し、前記軸受座の中部に外側に突出する弾性フックを有する軸受座と、
係止ストッパーシートであって、前記係止ストッパーシートが前記係止溝に係止され、かつ、前記軸受座の先端の端部に当接し、前記係止ストッパーシート及び前記階段部が共に前記軸受座の前記取付軸に沿う軸方向における変位を阻止し、前記回転ボールが前記軸受座に套設され、且つ前記凸台部と前記弾性フックとの間に嵌合され、前記回転ボールが前記凸台部と弾性フックとの阻止により前記外延部の周りを回転する係止ストッパーシートと、
を含むことを特徴とするボール式美容ローラー。
【請求項２】
前記回転ボールは、内ボール体と外ボールカバーとを含み、前記外ボールカバーが前記内ボール体を包み、前記外ボールカバーが前記頸部構造に延伸して前記カバーを遮り、前記内ボール体が前記軸受座に套設され、且つ前記凸台部と前記弾性フックとの間に嵌合されることを特徴とする請求項１に記載のボール式美容ローラー。
【請求項３】
前記外ボールカバーの外表面は、複数の三角形からなることを特徴とする請求項２に記載のボール式美容ローラー。
【請求項４】
前記内ボール体は、内ボール本体及び前記内ボール本体の内部に嵌合する嵌合カバーを含み、前記嵌合カバーと前記内ボール本体とがボール形を構成し、前記内ボール本体が、前記凸台と前記弾性フックとの間に嵌合され、前記嵌合カバーが前記軸受座の先端に套設されることを特徴とする請求項２に記載のボール式美容ローラー。
【請求項５】
前記係止ストッパーシートは、２個あり、かつ係止口をお互いにずらして前記係止溝内に係止されることを特徴とする請求項１に記載のボール式美容ローラー。
【請求項６】
前記接続モジュールは、さらに、円環状ワッシャーを含み、前記円環状ワッシャーが、前記外延部に套設され、かつ、前記階段部の先端の端部と前記軸受座の後端の端部の間に当接することを特徴とする請求項１に記載のボール式美容ローラー。
【請求項７】
前記頸部構造の外側壁は、円弧状凸リングを有し、前記カバーの内側壁は、前記円弧状凸リングに整合する円弧状溝を有し、前記カバーは、前記円弧状凸リングと前記円弧状溝により前記頸部構造に係合することを特徴とする請求項１に記載のボール式美容ローラー。
【請求項８】
前記取付部の前記階段部に近い部分に、前記シールリングを収容するための収容環状溝が設けられ、前記シールリングは、前記収容環状溝の内部に位置することを特徴とする請求項１に記載のボール式美容ローラー。
【請求項９】
前記ハンドルの頭部が延伸して２つの前記頸部構造を形成し、各前記頸部構造は、１つの前記回転ボール及び１つの前記接続モジュールを対応して有し、前記ハンドルは、頭部及び尾部が低く、真中が高くなるようなアーチ状構造であることを特徴とする請求項１に記載のボール式美容ローラー。
【請求項１０】
２つの前記頸部構造は鋭角となるように配置されることを特徴とする請求項９に記載のボール式美容ローラー。
【考案の詳細な説明】
【技術分野】
【０００１】
本考案は、美容製品、特にボール式美容ローラーに関するものである。
【背景技術】
【０００２】
経済の発展及び科学技術の進歩に伴い、生活に便利である様々な製品が開発されており、美容ローラーはその中の１つである。
【０００３】
美容院では、美容ローラーを用いて顧客に美容サービスを提供する場合が多いということは周知である。美容ローラーの回転ボールで皮膚を運動させ、美容ローラー自体でアニオンを発生することにより、皮膚の皺を軽減し、美容の目的を達することができる。そのため、美容ローラーは、美容業界に幅広く適用されており、数多くの美容院に注目されている。
【０００４】
従来の美容ローラーでは、回転ボールをハンドルの頭部から延伸してなる頸部構造に接続するための接続部材はデザインが不合理であるため、回転ボールの回転ノイズが大きく、回転が鈍いから、回転ボールと皮膚との摩擦抵抗が大きくなり、使用の快適さが害される。
【０００５】
よって、上記の欠点を克服するために、回転が柔軟で、ノイズが小さく、且つ快適性がよいボール式美容ローラーを提供する必要がある。
【考案の概要】
【０００６】
本考案は、回転が柔軟で、ノイズが小さく、快適性がよいボール式美容ローラーを提供することを目的とする。
【０００７】
前記目的を達するために、本考案はボール式美容ローラーを提供する。該美容ローラーは、回転ボール、ハンドル、前記ハンドルの頭部から外側に延在する頸部構造、及び前記回転ボールを前記頸部構造に回転自在に接続する接続モジュールを含む。前記接続モジュールは、取付軸、カバー、円環状ストッパーリング、軸受座、及び係止ストッパーシートを含む。前記取付軸は、前記頸部構造内に穿設される取付部と、前記頸部構造外に位置する外延部と、前記取付部と前記外延部との間に位置する階段部とを含み、前記階段部の外径が前記外延部及び取付部の外径より大きく、前記階段部の後端の端部が前記頸部構造に当接し、前記外延部の先端に係止溝が設けられ、前記取付部と前記頸部構造との接合箇所にシールリングが設けられる。前記カバーの先端が前記階段部に套設され、前記カバーの後端が前記頸部構造に係合して套設され、前記円環状ストッパーリングが前記階段部に套設され、かつ熱溶着により該階段部と一体になり、前記円環状ストッパーリングの後端の端部が前記カバーの前端の端部に当接し、前記軸受座が前記外延部に套設され、前記軸受座の後端の端部が前記階段部の先端の端部に当接し、かつ、前記軸受座の後端の端部が外側に延伸して凸台部を形成し、前記軸受座の中部に外側に突出する弾性フックを有し、前記係止ストッパーシートが前記係止溝に係止され、かつ、前記軸受座の先端の端部に当接し、前記係止ストッパーシート及び前記階段部が共に前記軸受座の前記取付軸に沿う軸方向における変位を阻止し、前記回転ボールが前記軸受座に套設され、且つ前記凸台部と前記弾性フックとの間に嵌合され、前記回転ボールが前記凸台部と弾性フックとの阻止により前記外延部の周りを回転する。
【０００８】
好ましくは、前記回転ボールは、内ボール体及び外ボールカバーを含み、前記外ボールカバーが前記内ボール体を包み、前記外ボールカバーが前記頸部構造に延伸して前記カバーを遮り、前記内ボール体が前記軸受座に套設され、且つ前記凸台部と前記弾性フックとの間に嵌合される。
好ましくは、前記外ボールカバーの外表面は、複数の三角形を接合してなる。
好ましくは、前記内ボール体は、内ボール本体及び前記内ボール本体の内部に嵌合する嵌合カバーを含み、前記嵌合カバーと前記内ボール本体とがボール形を構成し、前記内ボール本体が、前記凸台部と前記弾性フックとの間に嵌合され、前記嵌合カバーが前記軸受座の先端に套設される。
好ましくは、前記係止ストッパーシートは、２個あり、かつ係止口をお互いにずらして前記係止溝内に係止される。
好ましくは、前記接続モジュールは、さらに、円環状ワッシャーを含み、前記円環状ワッシャーが、前記外延部に套設され、かつ、前記階段部の先端の端部と前記軸受座の後端の端部の間に当接する。
好ましくは、前記頸部構造の外側壁は、円弧状凸リングを有し、前記カバーの内側壁は、前記円弧状凸リングに整合する円弧状溝を有し、前記カバーは前記円弧状凸リングと円弧状溝により前記頸部構造に係合される。
好ましくは、前記取付部の前記階段部に近い部分に、前記シールリングを収容するための収容環状溝が設けられ、前記シールリングは、前記収容環状溝の内部に位置する。
好ましくは、前記ハンドルの頭部が延伸して２つの前記頸部構造を形成し、各前記頸部構造は１つの前記回転ボール及び１つの前記接続モジュールを対応して有し、前記ハンドルは、頭部及び尾部が低く、真中が高くなるようなアーチ状構造である。
好ましくは、２つの前記頸部構造は鋭角となるように配置される。  
【０００９】
従来技術に比べて、本考案の接続モジュールは、取付軸、カバー、円環状ストッパーリング、軸受座、及び係止ストッパーシートを含む。取付軸は、頸部構造内に穿設される取付部と、頸部構造外に位置する外延部と、取付部と外延部との間に位置する階段部とを含み、階段部の外径が外延部及び取付部の外径より大きく、階段部の後端の端部が頸部構造に当接し、外延部の先端に係止溝が設けられ、取付部と頸部構造との接合箇所にシールリングが設けられ、カバーの先端が階段部に套設され、カバーの後端が頸部構造に係合して套設されることにより、カバーは頸部構造とともに取付軸を頸部構造に固定する。円環状ストッパーリングが階段部に套設され、かつ熱溶着により該階段部と一体になり、円環状ストッパーリングの後端の端部がカバーの前端の端部に当接することにより、カバーが頸部構造に安定的に固定される。軸受座が外延部に套設され、軸受座の後端の端部が階段部の先端の端部に当接し、軸受座の後端の端部が外側に延伸して凸台部を形成し、軸受座の中部に弾性フックを有し、係止ストッパーシートが係止溝に係止され、かつ、軸受座の先端の端部に当接し、係止ストッパーシート及び階段部が共に軸受座の取付軸に沿う軸方向における変位を阻止することにより、軸受座が外延部に安定に固定される。回転ボールが軸受座に套設され、且つ凸台部と弾性フックとの間に嵌合され、回転ボールが凸台部と弾性フックとの阻止により外延部の周りを回転することで、回転ボールの回転が柔軟となり、皮膚との摩擦抵抗が小さくなり、もっと快適で、さらにノイズが小さくなる。
【図面の簡単な説明】
【００１０】
【図１】本考案のボール式美容ローラーの立体構造の模式図である。
【図２】図１に示すボール式美容ローラーの立体分解構造の模式図である。
【図３】左側の取付軸の軸線を通す平面において、図１に示すボール式美容ローラーの左側部分を切り取った断面図である。
【考案を実施するための形態】
【００１１】
以下、図面を参照しながら本考案の実施例を説明する。本考案の図面において、同様或いは類似する図面符号により、同様或いは類似する部品を示す。
【００１２】
図１〜３に示すように、本考案のボール式美容ローラー１００は、回転ボール１０、ハンドル２０、ハンドル２０の頭部から外側に延在する頸部構造３０、及び回転ボール１０を頸部構造３０に回転自在に接続する接続モジュール４０を含む。例えば、図１、２に示すように、本実施例において、ハンドル２０の頭部は延伸して２つの頸部構造３０を形成し、各頸部構造３０は１つの回転ボール１０及び１つの接続モジュール４０を対応して有することで、皮膚の２つの部位を同時にマッサージすることができる。図１、２に示すように、ハンドル１０は、頭部及び尾部が低く、真中が高くなるようなアーチ状構造であることで、握りやすい。好ましくは、２つの頸部構造３０は、鋭角に配置され、且つハンドル２０に対して対称配置されることにより、皮膚の２つの部位とより良好に接触できるが、この限りではない。
【００１３】
図２、３に示すように、接続モジュール４０は、取付軸４１、カバー４３、円環状ストッパーリング４４、軸受座４５、及び係止ストッパーシート４６を含む。取付軸４１は、頸部構造３０の内に穿設される取付部４１ａと、頸部構造３０の外に位置する外延部４１ｂと、取付部４１ａと外延部４１ｂとの間に位置する階段部４１ｃとを含む。階段部４１ｃの外径は、外延部４１ｂ及び取付部４１ａの外径より大きいため、階段部４１ｃは外延部４１ｂ及び取付部４１ａから突出する。階段部４１ｃの後端の端部が頸部構造３０に当接し、外延部４１ｂの先端に係止溝４１１が設けられる。取付部４１ａと頸部構造３０との接合箇所にシールリング４２が設けられ、シールリング４２により、取付部４１ａと頸部構造３０との接合箇所がシールされる。例えば、図３に示すように、本実施例において、取付部４１ａの階段部４１ｃに近い部分に、シールリング４２を収容するための収容環状溝４１２が設けられ、シールリング４２は、収容環状溝４１２の内部に位置することにより、頸部構造３０と取付部４１ａとのシールの高信頼性を確保できるが、この限りではない。
【００１４】
図２、３に示すように、カバー４３の先端は階段部４１ｃに套設され、カバー４３の後端は頸部構造３０に係合して套設されることにより、カバー４３及び頸部構造３０により取付軸４１を頸部構造３０に固定する。例えば、図３に示すように、本実施例において、頸部構造３０の外側壁に円弧状凸リング３１を有し、カバー４３の内側壁に円弧状凸リング３１に整合する円弧状溝４３１を有し、カバー４３は円弧状凸リング３１と円弧状溝４３１により頸部構造３０に係合されることにより、カバー４３と頸部構造３０との組立てが便利であるが、この限りではない。
【００１５】
図２、３に示すように、円環状ストッパーリング４４が階段部４１ｃに套設され、かつ熱溶着により該階段部と一体になり、円環状ストッパーリング４４の後端の端部がカバー４３の前端の端部に当接することにより、カバー４３が頸部構造３０に安定的に固定される。軸受座４５は外延部４１ｂに套設され、軸受座４５の後端の端部が階段部４１ｃの先端の端部に当接する。好ましくは、接続モジュール４０は、さらに、円環状ワッシャー４７を含み、円環状ワッシャー４７が、外延部４１ｂに套設され、かつ、階段部４１ｃの先端の端部と軸受座４５の後端の端部の間に当接することにより、軸受座４５の安定性と信頼性を向上させる。軸受座４５の後端の端部が外側に延伸して凸台部４５１を形成し、軸受座４５の中部に外側に突出する弾性フック４５２を有し、係止ストッパーシート４６が係止溝４１１に係止され、かつ、軸受座４５の先端の端部に当接することにより、係止ストッパーシート４６及び階段部４１ｃが共に軸受座４５の取付軸４１に沿う軸方向における変位を阻止する。例えば、図２に示すように、係止ストッパーシート４６は、２個あり、かつ係止口をお互いにずらして係止溝４１１内に係止される。図２に示すように、係止口を配置することにより、係止ストッパーシート４６が軸受座４５を安定的に固定する信頼性を向上させるが、この限りではない。
【００１６】
図１〜３に示すように、回転ボール１０は軸受座４５に套設され、且つ凸台部４５１と弾性フック４５２との間に嵌合され、回転ボール１０は、凸台部４５１と弾性フック４５２との阻止により外延部４１ｂの周りに回転する。具体的に、本実施例において、回転ボール１０は、内ボール体１１と外ボールカバー１２とを含み、外ボールカバー１２は内ボール体１１を包み、外ボールカバー１２が頸部構造３０に延伸してカバー４３を遮り、内ボール体１１は、軸受座４５に套設され、且つ凸台部４５１と弾性フック４５２との間に嵌合される。例えば、外ボールカバー１２の外表面は、複数の三角形からなり、それにより皮膚に対するマッサージ効果が高まる。内ボール体１２は、内ボール本体１２ａ及び内ボール本体の内部に嵌合する嵌合カバー１２ｂを含み、嵌合カバー１２ｂ及び内ボール本体１２ａがボール形を構成し、内ボール本体１２ａが、凸台部４５１と弾性フック４５２との間に嵌合され、嵌合カバー１２ｂが軸受座４５の先端において套設されることにより、接続モジュール３０の内ボール体１２への組立てが便利となるが、この限りではない。
【００１７】
従来技術に比べて、本考案の接続モジュール４０は、取付軸４１、カバー４３、円環状ストッパーリング４４、軸受座４５、及び係止ストッパーシート４６を含む。取付軸４１は、頸部構造３０内に穿設される取付部４１ａと、頸部構造３０外に位置する外延部４１ｂと、取付部４１ａと外延部４１ｂとの間に位置する階段部４１ｃとを含み、階段部４１ｃの外径は外延部４１ｂ及び取付部４１ａの外径より大きく、階段部４１ｃの後端の端部が頸部構造３０に当接し、外延部４１ｂの先端に係止溝４１１が設けられ、取付部４１ａと頸部構造３０との接合箇所にシールリング４２が設けられる。カバー４３の先端が階段部４１ｃに套設され、カバー４３の後端が頸部構造３０に係合して套設されることにより、カバー４３は頸部構造３０とともに取付軸４１を頸部構造３０に固定する。円環状ストッパーリング４４が階段部４１ｃに套設され、かつ熱溶着により該階段部と一体になり、円環状ストッパーリング４４の後端の端部がカバー４３の前端の端部に当接することにより、カバー４３が頸部構造３０に安定的に固定される。軸受座４５は外延部４１ｂに套設され、軸受座４５の後端が外側に延伸して凸台部４５１を形成し、軸受座４５の中部に弾性フック４５２を有し、係止ストッパーシート４６が係止溝４１１に係止され、かつ、軸受座４５の先端の端部に当接し、係止ストッパーシート４６及び階段部４１ｃが共に軸受座４５の取付軸４１に沿う軸方向における変位を阻止することにより、軸受座４５が外延部４１ｂに安定的に固定される。回転ボール10が軸受座４５に套設され、且つ凸台部４５１と弾性フック４５２との間に嵌合され、回転ボールが凸台部４５１と弾性フック４５２との阻止により外延部４１ｂの周りを回転することにより、回転ボール１０の回転が柔軟となり、皮膚との摩擦抵抗が小さくなり、もっと快適で、さらにノイズが小さくなる。
【００１８】
上記の説明は本考案の好適な実施例に過ぎず、本考案の範囲を限定するものではないため、同等の変更又は修飾は本考案の範囲内に含まれるべきである。
【図１】
0003212874.tif 000003
【図２】
0003212874.tif 000004
【図３】
0003212874.tif 000005